(57)【要約】      （修正有）【課題】  マイナスイオン及び遠赤外線・身体に良い電磁波を発生できる鉱石等特有イオンを効率良く、多量に発生させて、優れた健康、美容を発揮させるユニットバス付やく石の癒。【解決手段】上槽タンクに太いバイプに循環送水配管パイプ４に無数の穴を開け、水中ポンプ５の送水圧力を利用して穴から噴出した圧力温水をイオン発生成材８（トルマリン鉱石及び黒曜石）等に衝撃を加え、滝１５のように、又は、シャワーのように、温水を落下させ滝となって、イオン生成材１例（トルマリン、及び黒曜石）等に衝撃与えて温水シブキになり、高湿度化になる。マイナスイオン及び、遠赤外線・電磁波等が発生しサウナ室内に充満する。イオン発生鉱石と温水を循環させることができ、室内温度と滝落とし温水温度が同温度となる事により湿度が空気化し、圧迫感がなく、呼吸しながら低温で長時間入浴ができるユニットバス付やく石の癒。【選択図】図−１
2007130409.tif 000002
【特許請求の範囲】
【請求項１】
家庭、ホテル等、何処でも健康と美容に役達低温、高湿度、省エネルギーでマイナスイオン、遠赤外線等が生成材によって発生が出来ることを特徴とするユニットバス付やく石の癒。
【請求項２】
マイナスイオン、遠赤外線生成材に温熱湯で圧力抵抗と温水落差（滝の様）に落水することで、高湿度となる、その温水を循環する事で室内温度と水温が同温度となる、空気とイオンが混合でき、呼吸が快適にできるため身体が活性化することを特徴としたユニットバス付やく石の癒。
【請求項３】
床下に温水循環で床を適温に暖め、その上に多量のマイナスイオン、遠赤外線等が発生できる生成材を敷き入れイオンを発生させる、身体支持盤をベットのように敷き、又、取り外しが簡単に清掃が出来るように、折タタムことが簡単に出来る素材で作製、又は、石板を敷く、その身体に床下からの温熱イオンが発生したイオンと、温熱が身体に芯から低温で暖まるユニットバス付やく石の癒。
【発明の詳細な説明】
【技術分野】
【０００１】  本発明は（トルマリン鉱石・黒曜石・麦飯石・北投石・ラジウム鉱石等）から低温水で摩擦を加え鉱石から、鉱石特有のイオンを発生させ、高湿度と混合させ呼吸によって身体が活性化できるユニットバス付やく石の癒に関する。
【背景技術】
【０００２】  近年、トルマリン鉱石、黒曜石、ラジウム鉱石、麦飯石、北投石、等のマイナスイオン、遠赤外線を発生し易い物質（マイナスイオン、遠赤外線生成材）を用いる種々のサウナが開発され、使用され始めている。
このようなマイナスイオン、遠赤外線生成材はその生成材に触れた空気、水等をマイナスイオン化でき、その生成材を加熱、加圧等すると、簡単に多量のマイナスイオンと遠赤外線を発生させることができる。
その故、マイナスイオン生成を用いたサウナに入ると、そのマイナスイオン、遠赤外線による優れた健康、美容効果を亨受できる。又サウナの低温が可能であるため、低温化により普通のサウナのように厚苦しくなく、我慢をしながら汗を搾りだす必要もなく長時間居ても快適に過ごせる。【０００３】  このようなマイナスイオンとして、気密性、断熱性、の高い部屋に、一般的に市販されているような温度設定が可能な床暖房システムに敷き、その上に球砂入りモルタルにトルマリンの粉末、小豆大のトルマリン原石を混ぜたものを床材として盛り、横たわった人の肩、腰、に当たるように、トルマリン入りのタオル又は陶器等を埋め込み、モルタルを固化させて岩盤を完成し、更にその岩盤を仕切ってベッドと通路を形成してベッドの周囲に溝、通路に若干の経窪みを夫々設け、そこに水気が溜まるようにし、水蒸気が発生し易い環境にして、室内の湿度を調整するようにしたものが提示されている。
【発明の開示】
【発明が解決しようとする課題】
【０００４】  しかしながら、このようなサウナはトルマリン及びイオン生成材の量を多くできず、マイナスイオンや遠赤外線を多量に発生し難い。しかも、そのベッドに上向きになって横たわると、背中側がベッドの上面と広く密着触するため、肩、腰、膝、等の特定の部位を除いた箇所にマイナスイオンが触れ難くなる。又ベッドとなる岩盤の下に一般的に市販されているような床システムを敷くだけでは床部の断熱効果を大きくできない。カビ、汗の悪臭問題が多い、
小型化で機能が低く光熱費が高い、又マイナスイオン等発生が低いのが一般的に市販されているユニット型サウナである。
今迄のユニットバスにはマイナスイオン・遠赤外線の発生装置は市販されていない。【０００５】  本発明はこのような従来の問題点に着目してなされたものであり、低温で高湿度とマイナスイオンや遠赤外線を多量に発生し易く、その高湿度を発生させてマイナスイオンや遠赤外線による効果が得られると共に、身体の温熱指圧効果も得られ、床部の断熱効果が大きく、又抗菌効果と汗の悪臭の解決、省エネルギーに優れたマイナスイオンユニットバス付やく石の癒を提供することを目的とする。
【課題を解決するための手段】
【０００６】  上記目的を達成するために、本発明によるマイナスイオンユニットバス付やく石の癒の床部に温熱配管を敷きつめて配置し、黒曜石加工パーライトを（１例）セメント１０％砂２０％、パーライト７０％で温熱配管を中心に（コンクリート）のように練り床板を作成する。【０００７】  上記のコンクリート方法を特殊シンダーコンクリートと言う、特殊シンダーコンクリート床盤の上に１０ｃｍ厚みに、イオン生成材を搬入する、今回は黒曜石とトルマリン鉱石を混合して１０ｃｍの厚みに搬入する。【０００８】  又、
【図１】
の１８スノコ板を敷く、（イオン生成材の上に敷き）、其の上に凸凹の２の成形し、１１の床下からのイオンが貫通穴を設け其の貫通穴から、イオンが室内に充満する。又、身体に指圧のような感じと効能効果ある物を２にベットの様に敷、其の上に寝る装置。又は、石板を敷く方法も出来る。
荻原大が提出日平成１７年４月１８日整理番号・Ｐ０５０Ｈ０１特願２００５−１１９６８４
【図１】
の６と同様の装置、特殊トルマリンパネル板を使用すると数段の価値観が得られる。
【０００９】  イオン発生装置は、荻原大が提出日平成１７年４月１８８（上記同様）
【図６】
の原理を使用する（容器）太い筒の中にマイナスイオン生成鉱石を搬入し、太い筒の中心部に送水管にラセン型に無数の穴を開け、温水ポンプで送水し、太い筒の中間に多量マイナスイオン生成材を収納する、送水管から圧力温水が噴出し、周囲の鉱石と摩擦を起こし、マイナスイオン・遠赤外線・及び電磁波が発生し、太い筒の下部に複数の穴より温水落下、下のタンクに溜まる、又温水タンクにマイナスイオン・遠赤外線生成材（鉱石原石）            多量に収納する。又ユニットハウス部屋の壁部高断熱性能工法を有するマイナスイオン生成材を含む黒曜石特殊シンダーコンクリートにすると良い。
【発明の効果】
【００１０】  本発明のマイナスイオン・遠赤外線・低温・高湿サウナは部屋のマイナスイオン生成用床部を上、中、下の３層床部からなる積層体にし、その下層床部に加熱用温水管を熱源として備え付けることにより、その加熱用温水管から発生する、熱を先ず下層床部を構成する、黒曜石特殊シンダーコンクリートに伝え、更に中層床部へと伝えて部屋内を暖めることができる。すると上、中、下の３層床部を構成するマイナスイオン生成材と部屋内の空気、水分が加熱され、所定温度に達成する。（１例、３８℃〜４１℃）が体験所の結果大変良い。）
【００１１】  それ故、マイナスイオン生成材と接触した高湿度空気、湿度がマイナスイオン化され易くなり多量のマイナスイオンが発生する。又、マイナスイオン生成材から多量の遠赤外線が放射され、更に上層床部とその上層床部設けられた各貫通穴からの中、下層部で発生した多量のマイナスイオンと熱が高湿度空気の対流等によって放出されてユニットバス部屋内が充満する。
【００１２】  このようなユニットバス部屋内に入浴者が入って横たわると、身体が床面からの突出する多数のトルマリンマイナスイオン生成材からなる身体支持用部材又は凸凹の成形素材で支えられて温熱指圧効果となる、又、身体に適した遠赤外線と電磁波が身体に電動する。横たわった人が床面に密接触せず、各身体支持用部材  等接箇所が温熱指圧され、床面との間に少し空間ができる。そして、その空間内に周囲からマイナスイオンが侵入、横たわった人の下側にもほぼ平均に多量のマイナスイオンが触れる。それ故、多数の身体用部材による温熱指圧効果と多量のマイナスイオン効果を得ることができる。又、多量の遠赤外線を受けて、その効果を得ることもできる。
【００１３】  しかも、黒曜石マイナスイオン生成用床部の上、下層床部を構成するコンクリートに高断熱性能を有するマイナスイオン生成材を含ませると、マイナスイオン生成用床部の断熱効果が大きくなり、省エネルギーに優れたものになる。
【００１４】  そして、荻原大が出願日平成１７年９月２８日整理番号・Ｐ０４０Ｈ０１の原理を使用（上層容器）図Ａ−１の１８、
【図Ｂ−４】
太い筒に多数のマイナスイオン生成材を収容し、その中心部より温水循環パイプのラセン型穴より、ポンプからの圧力で放出させ、そのマイナスイオン生成材を加圧等で温水をマイナスイオン化し、太い筒の下部の、無数の穴から落下させることにより、多量のマイナスイオン・遠赤外線・高湿度蒸気を発生させ温水タンクのマイナスイオン生成材（鉱石原石）を通過する、温水に含まれたマイナスイオンを一層空気中に高湿度が空気のようになって身体に吸収それる。
【００１５】  又、５循環ポンプの送水水圧力で落下するマイナスイオン化した温水を受けると、下層のタンク
【図１】
の９にある多量のマイナスイオン生成材に温水を更に受け、マイナスイオン化し滝の様に又は、シャワーの様に落下させるとマイナスイオンと遠赤外線を空気中に拡散して多量に含まれることができる。
ユニットバス部屋の壁部を構成する黒曜石特殊シンダーコンクリートに高断熱性能を有するマイナスイオン生成材を含ませると、黒曜石の抗菌作用が発生し、汗の悪臭及び、カビが発生しない、当社の体験場の結果確認された。
広く体積の大きな壁部に含まれる多量のマイナスイオン生成材により、部屋内に多量のマイナスイオンを満たし、多量の遠赤外線、及び、電磁波が放射できる。しかも、壁部の断熱性と屈折輻射熱効果が大きく、部屋の断熱効果を大きくできるので省エネルギーに適する。
【発明を実施するための最良の形態】
【００１６】  以下、図−１から２−図を参照して、本発明の実施の最良形態を説明する。図−１は本発明を適用した、マイナスイオン発生装置付きのユニットバスの縦断面図、図−２は平面図、図−２は特殊トルマリンパネル盤、又は、成形凸凹盤の平面図のように作成し其の上にバスタオルを敷き横に寝ながらサウナ感覚で入浴が楽しめます。このマイナスイオン発生ユニットバス、図−１の２６イオン生成材収納箱に鉱石（１例）黒曜石・トルマリン鉱石当を搬入し、１の湯壷に湯を搬入するバイプ２７を９イオン生成材に敷き込んで２７パイプに無数の穴を開けて噴出す事で、９鉱石に抵抗が加わり、マイナスイオン温水が湯壷の中に混入する、トルマリン水・黒曜石のイオン水になります。美肌と健康に最適です。【００１７】  施工方法は、ユニットバス周囲３、床板から断熱防水ビニュルヒートを６面に（壁４面・天上・床）等に貼り付け固定する、その上に断熱素材を固定する。その上にラス網を固定し、黒曜石パーライトシンダーモルタルを、例えばセメント１０％、砂２０％黒曜石パーライト７０％を練り合せた黒曜石シンダーモルタルを２重〜３重に塗りを行う。上記の使用工法考案工程によりサウナの難問が解決できた、床・壁に黒曜石シンダーモルタルの特徴がでる。蓄積断熱効果と汗の悪臭及びカビ等の抗菌作用が実証された。
荻原大が出願日平成１７年４月１８日、整理番号Ｐ０５０Ｈ０１、特願２００５−１１９６８４の体験場作製で実証ができた。
サウナ関係に黒曜石パーライト及び黒曜石原石を多量に使用した開発等は画期的な使用方法である。【００１８】  室内の高湿度を発生させる方法として滝のように、１４網板の上に黒曜石等を多量に収容して、温水の落差で抵抗を加わり、１５のように滝、又はシャワーのように落下、マイナスイオン及び遠赤外線等が発生した温湯がタンクに蓄積する。【００１９】  蓄積した温水を７のパイプとミストシャワーに接続するとマイナスイオン水シャワーになって美肌効果が最高に良い。【００２０】  使用する黒曜石は産地として有名な長野県和田峠産であり、その成分含有率の一例を表１に示す。【００２１】
【表１】
2007130409.tif 000003
【表２】
2007130409.tif 000004
【００２２】  このようなユニットバス付サウナ部屋内には多量のマイナスイオンが満ち、多量の遠赤外線が放射されている上、温度が３８℃〜４０℃程の低温に保たれ、湿度が高く８０％で入浴者が長時間いても快適に過ごせる。そして、自分の好きな音楽を聞き、滝落とし装置施設等を見ると一層リラックスできる。
入浴者がベッド２に横たわると、身体が床面全体にほぼ均等に分散配置されて突出している多数のトルマリンマイナスイオン生成材からなる身体支持用部材凸凹成形部材又は、トルマリンボールで支えられる。【００２３】  横たわった人が床面に密接触せず、各身体支持用部材２４で支えられる背側の等接箇所が夫々温熱指圧され、床面との間に少し空間ができる。そして、その下側空間内に周囲からマイナスイオンが侵入し、横たわった人の背側に多量のマイナスイオンが触れる。それ故、横たわった人の背側に多数の身体支持用部材２による温熱指圧効果が作用し、全体で多量のマイナスイオンと多量の遠赤外線を受けて、健康、美容効果が受けられるユニットバス。【００２４】  ユニットバスサウナの出願内容は荻原大が特願・整理番号・Ｐ０４０Ｈ０１・平成１７年９月２８日及び、出願日・平成１６年７月１６日・整理番号００００９３−０２のユニットサウナをミックスし、長所を取り入れて改善し、家庭的又、ホテル等で多くの方々が安価で使用出来る方法と考案しました。
【符号の説明】
【００２４】１．  湯壷
２．  身体支持用ベット部材
３．  ユニットバス外周
４．  イオン発生装置
５．  温水送水ポンプ
６．  イオン発生装置
７．  送水パイプ
８．  トルマリン鉱石
９．  イオン発生生成材（例・トルマリン鉱石・黒曜石・北投石・麦飯石・ラジウム鉱石）等
１０．折りたたみ位置・又は取り外しが出来る位置
１１．床下からのイオン流通穴
１２．ボイラーからの温熱パイプ配管
１３．排水溝
１４．アミ板
１５．温水落下矢印
１６．換気扇
１７．シャワー
１８．スノコ板
１９．湯壷の縁（カマチ）
２０．ベットの縁枠
２１．出入り口ドアー
２２．ボイラー
２３．室内ライト装置
２４．水道装置
２５．鏡
２６．イオン生成材（鉱石収納箱）
２７．温水  噴出しパイプ
２８．温水出口
【図−１】
2007130409.tif 000005
【図−２】
2007130409.tif 000006
【手続補正書】
【提出日】平成18年2月1日(2006.2.1)
【手続補正１】
【補正対象書類名】明細書
【補正対象項目名】全文
【補正方法】変更
【補正の内容】
【発明の詳細な説明】
【技術分野】
【０００１】
本発明は(トルマリン鉱石・黒曜石・麦飯石・北投石・ラジウム鉱石等)から低温水で摩擦を加え鉱石から、鉱石特有のイオンを発生させ、高湿度と混合させ呼吸によって身体が活性化できるユニットバス付やく石の癒に関する。
【背景技術】
【０００２】
近年、トルマリン鉱石、黒曜石、ラジウム鉱石、麦飯石、北投石、等のマイナスイオン、遠赤外線を発生し易い物質(マイナスイオン、遠赤外線生成材)を用いる種々のサウナが開発され、使用され始めている。
このようなマイナスイオン、遠赤外線生成材はその生成材に触れた空気、水等をマイナスイオン化でき、その生成材を加熱、加圧等すると、簡単に多量のマイナスイオンと遠赤外線を発生させることができる。
その故、マイナスイオン生成を用いたサウナに入ると、そのマイナスイオン、遠赤外線による優れた健康、美容効果を享受できる。又サウナの低温が可能であるため、低温化により普通のサウナのように厚苦しくなく、我慢をしながら汗を搾りだす必要もなく長時間居ても快適に過ごせる。
【０００３】
このようなマイナスイオンとして、気密性、断熱性、の高い部屋に、一般的に市販されているような温度設定が可能な床暖房システムに敷き、その上に球砂入りモルタルにトルマリンの粉末、小豆大のトルマリン原石を混ぜたものを床材として盛り、横たわった人の肩、腰、に当たるように、トルマリン入りのタオル又は陶器等を埋め込み、モルタルを固化させて岩盤を完成し、更にその岩盤を仕切ってベッドと通路を形成してベッドの周囲に溝、通路に若干の経窪みを夫々設け、そこに水気が溜まるようにし、水蒸気が発生し易い環境にして、室内の湿度を調整するようにしたものが提示されている。
【発明の開示】
【発明が解決しようとする課題】
【０００４】
しかしながら、このようなサウナはトルマリン及びイオン生成材の量を多くできず、マイナスイオンや遠赤外線を多量に発生し難い。しかも、そのベッドに上向きになって横たわると、背中側がベッドの上面と広く密接触するため、
肩、腰、膝、等の特定の部位を除いた箇所にマイナスイオンが触れ難くなる。又ベッドとなる岩盤の下に一般的に市販されているような床システムを敷くだけでは床部の断熱効果は大きくできない。カビ、汗の悪臭問題が多い、
小型化で機能が低く光熱費が高い、又マイナスイオン等発生が低いのが一般的に市販されているユニット型サウナである。
今迄のユニットバスにはマイナスイオン・遠赤外線の発生装置は市販されていない。
【０００５】
本発明はこのような従来の問題点に着目してなされたものであり、低温で高湿度とマイナスイオンや遠赤外線を多量に発生し易く、その高湿度を発生させてマイナスイオンや遠赤外線による効果が得られると共に、身体の温熱指圧効果も得られ、床部の断熱効果が大きく、又抗菌効果と汗の悪臭の解決、省エネルギーに優れたマイナスイオンユニットバス付やく石の癒を提供することを目的とする。
【課題を解決するための手段】
【０００６】
上記目的を達成するために、本発明によるマイナスイオンユニットバス付やく石の癒の床部に温熱配管を敷きつめて配置し、黒曜石加工パーライトを(1例)セメント10％砂20％、パーライト70％で温熱配管を中心に(コンクリート)のように練り床板を作成する。
【０００７】
上記のコンクリート方法を特殊シンダーコンクリートと言う、特殊シンダーコンクリート床盤の上に10cm厚みに、イオン生成材を搬入する、今回は黒曜石とトルマリン鉱石を混合して10cmの厚みに搬入する。
【０００８】
又、〔図1〕の18スノコ板を敷く、(イオン生成材の上に敷き)、其の上に凸凹の２の成形し、11の床下からのイオンが貫通穴を設け其の貫通穴から、イオンが室内に充満する。又、身体に指圧のような感じと効能効果ある物を２にベッドの様に敷、其の上に寝る装置。又は、石板を敷く方法も出来る。
荻原大が提出日平成17年4月18日整理番号・Ｐ050Ｈ01 特願2005-119684〔図1〕の６と同様の装置、特殊トルマリンパネル板を使用すると数段の価値観が得られる。
【０００９】
イオン発生装置は、荻原大が提出日平成17年4月18日(上記同様)〔図６〕の原理を使用する（容器）太い筒の中にマイナスイオン生成鉱石を搬入し、太い  筒の中心部に送水管にラセン型に無数の穴を開け、温水ポンプで送水し、太い筒の中間に多量マイナスイオン生成材を収納する、送水管から圧力温水が噴出し、周囲の鉱石と摩擦を起こし、マイナスイオン・遠赤外線・及び電磁波が発生し、太い筒の下部に複数の穴より温水落下、下のタンクに溜まる、又温水タンクにマイナスイオン・遠赤外線生成材（鉱石原石）            多量に収納する。又ユニットハウス部屋の壁部高断熱性能工法を有するマイナスイオン生成材を含む黒曜石特殊シンダーコンクリートにすると良い。
【発明の効果】
【００１０】
本発明のマイナスイオン・遠赤外線・低温・高湿サウナは部屋のマイナスイオン生成用床部を上、中、下の３層床部からなる積層体にし、その下層床部に加熱用温水管を熱源として備え付けることにより、その加熱用温水管から発生する、熱を先ず下層床部を構成する、黒曜石特殊シンダーコンクリートに伝え、更に中層床部へと伝えて部屋内を暖めることができる。すると上、中、下の3層床部を構成するマイナスイオン生成材と部屋内の空気、水分が加熱され、所定温度に達成する。(１例、38℃〜41℃)が体験所の結果大変良い。)
【００１１】
それ故、マイナスイオン生成材と接触した高湿度空気、湿度がマイナスイオン化され易くなり多量のマイナスイオンが発生する。又、マイナスイオン生成材から多量の遠赤外線が放射され、更に上層床部とその上層床部設けられた各貫通穴からの中、下層部で発生した多量のマイナスイオンと熱が高湿度空気の対流等によって放出されてユニットバス部屋内が充満する。
【００１２】
このようなユニットバス部屋内に入浴者が入って横たわると、身体が床面からの突出する多数のトルマリンマイナスイオン生成材からなる身体支持用部材又は凸凹の成形素材で支えられて温熱指圧効果となる、又、身体に適した遠赤外線と電磁波が身体に電動する。横たわった人が床面に密接触せず、各身体支持用部材  等接箇所が温熱指圧され、床面との間に少し空間ができる。そして、その空間内に周囲からマイナスイオンが侵入、横たわった人の下側にもほぼ平均に多量のマイナスイオンが触れる。それ故、多数の身体用部材による温熱指圧効果と多量のマイナスイオン効果を得ることができる。又、多量の遠赤外線を受けて、その効果を得ることもできる。
【００１３】
しかも、黒曜石マイナスイオン生成用床部の上、下層床部を構成するコンクリートに高断熱性能を有するマイナスイオン生成材を含ませると、マイナスイオン生成用床部の断熱効果が大きくなり、省エネルギーに優れたものになる。
【００１４】
そして、荻原大が出願日平成17年9月28日整理番号・Ｐ040Ｈ01の原理を使用（上層容器）図Ａ-1 の18、〔図Ｂ-4〕太い筒に多数のマイナスイオン生成材を収容し、その中心部より温水循環パイプのラセン型穴より、ポンプからの圧力で放出させ、そのマイナスイオン生成材を加圧等で温水をマイナスイオン化し、太い筒の下部の無数の穴から落下させることにより、多量のマイナスイオン・遠赤外線・高湿度蒸気を発生させ温水タンクのマイナスイオン生成材（鉱石原石）を通過する、温水に含まれたマイナスイオンを一層空気中に高湿度が空気のようになって身体に吸収それる。
【００１５】
又、５循環ポンプの送水水圧力で落下するマイナスイオン化した温水を受けると、下層のタンク〔図１〕の９にある多量のマイナスイオン生成材に温水を更に受け、マイナスイオン化し滝の様に又は、シャワーの様に落下させるとマイナスイオンと遠赤外線を空気中に拡散して多量に含まれることができる。
ユニットバス部屋の壁部を構成する黒曜石特殊シンダーコンクリートに高断熱性能を有するマイナスイオン生成材を含ませると、黒曜石の抗菌作用が発生し、汗の悪臭及び、カビが発生しない、当社の体験場の結果確認された。
広く体積の大きな壁部に含まれる多量のマイナスイオン生成材により、部屋内に多数のマイナスイオンを満たし、多量の遠赤外線、及び、電磁波が放射できる。しかも、壁部の断熱性と屈折輻射熱効果が大きく、部屋の断熱効果を大きくできるので、省エネルギーに適する。
【発明を実施するための最良の形態】
【００１６】
以下、添付の図―１から２―図を参照して、本発明の実施の最良形態を説明する。
図―１は、本発明を適用した、マイナスイオン発生装置付きのユニットバスの縦断面図、図―２は平面図、図―２は特殊トルマリンパネル盤、又は、成形凸凹盤の平面図のように作成し其の上にバスタオルを敷き横に寝ながらサウナ感覚で入浴が楽しめます。このマイナスイオン発生ユニットバス、図―１の26イオン生成材収納箱に鉱石(1例)黒曜石・トルマリン鉱石当を搬入し、１の湯壷に湯を搬入するパイプ27を９イオン生成材に敷き込んで27パイプに無数の穴を開けて噴出す事で、９鉱石に抵抗が加わり、マイナスイオン温水が湯壷の中に混入する、トルマリン水・黒曜石のイオン水になります。美肌と健康に最適です。
【００１７】
施工方法は、ユニットバス周囲３、床板から断熱防水ビニュルヒートを    ６面に(壁４面・天上・床)等に貼り付け固定する。その上に断熱素材を固定する。その上にラス網を固定し、黒曜石パーライトシンダーモルタルを、例えばセメント10％、砂20％黒曜石パーライト70%を練り合わせた黒曜石シンダーモルタルを２重〜３重に塗りを行う。上記の使用工法考案工程によりサウナの難問が解決できた、床・壁に黒曜石シンダーモルタルの特徴がでる。蓄熱断熱効果と汗の悪臭及びカビ等の抗菌作用が実証された。
荻原大が出願日平成１７年４月１８日、整理番号Ｐ050Ｈ01、特願2005-119684の体験場作製で実証ができた。
サウナ関係に黒曜石パーライト及び黒曜石原石を多量に使用した開発等は画期的な使用方法である。
【００１８】
室内の高湿度を発生させる方法として滝のように、14網板の上に黒曜石等を多量に収容して、温水の落差で抵抗を加わり、15のように滝、又はシャワーのように落下、マイナスイオン及び遠赤外線等が発生した温湯がタンクに蓄積する。
【００１９】
蓄積した温水を７のパイプとミストシャワーに接続するとマイナスイオン水シャワーになって美肌効果が最高に良い。
【００２０】
使用する黒曜石は産地として有名な長野県和田峠産であり、その成分含有率の一例を表１に示す。
【００２１】
〔表１〕
長野県和田峠産黒曜石の成分含有率    （％）
1   珪酸（無水珪酸）    76.36        2   酸化アルミニウム   12.40
3   酸化カリウム         4.42        4   三酸化鉄            1.05
5   酸化カルシウム       0.47        6   酸化マンガン        0.18
7   酸化マグネシウム     0.14        8   リン              33ｐｐｍ
9   スズ               250ｐｐｍ    10  ホウ素            150ｐｐｍ
11  モリブデン          90ｐｐｍ    12  リチウム            86ｐｐｍ
13  ニッケル            38ｐｐｍ    14  コバルト            30ｐｐｍ
15  銀                  25ｐｐｍ    16  銅                  20ｐｐｍ
17  亜鉛                20ｐｐｍ        ストロンチウム      10ｐｐｍ
【００２２】
〔表２〕
トルマリン成分比較表
元祖成分        ブラジル産              中国産      （％）  
1   Ｆｅ2Ｏ3        9.5                      18.78
2   Ａｉ2Ｏ3       39.0                      35.91
3   ＳｉＯ2        41.7                      33.0
4   ＭｎＯ                                    0.17
5   Ｃｒ2Ｏ3                                  0.50  
6   Ｋ2Ｏ           0.11                      0.77 
7   ＺｎＯ          0.2                       0.08
8   ＭｇＯ          0.01
9   ＣａＯ          0.58                      0.15
10  ＴｉＯ2         0.04                      0.19
11  Ｌｉ2Ｏ         0.53                      0.83
12  Ｌａ2Ｏ         0.001
13  Ｆ2Ｏ3          0.09
14  Ｂ2Ｏ3          8.23                       9.6
15  ＰｂＯ          0.004
合計        100.00                     100.00
【００２３】
このようなユニットバス付サウナ部室内には多量のマイナスイオンが満ち、多量の遠赤外線が放射されている上、温度が38℃〜40℃程の低温に保たれ、湿度が高く80％で入浴者が長時間いても快適に過ごせる。そして、自分の好きな音楽を聞き、滝落とし装置施設等を見ると一層リラックスできる。
入浴者がベッド２に横たわると、身体が床面全体にほぼ均等に分散配置されて突出している多数のトルマリンマイナスイオン生成材からなる身体支持用部材凸凹形成部材又は、トルマリンボールで支えられる。
【００２４】
横たわった人が床面に密接触せず、各身体支持用部材24で支えられる背側の等接箇所が夫々温熱指圧され、床面との間に少し空間ができる。そして、その下側空間内に周囲からマイナスイオンが侵入し、横たわった人の背側に多量のマイナスイオンが触れる。それ故、横たわった人の背側に多数の身体支持用部材２による温熱指圧効果が作用し、全体で多量のマイナスイオンと多量の遠赤外線を受けて、健康、美容効果が受けられるユニットバス。
【００２５】
ユニットバスサウナの出願内容は荻原大が特願・整理番号・Ｐ040Ｈ01・平成17年9月28日及び、出願日・平成16年7月16日整理番号000093−02のユニットサウナをミックスし、長所を取り入れて改善し、家庭的又、ホテル等で多くの方々が安価で使用できる方法と考案しました。
【図面の簡単な説明】
【００２６】
【図１】本発明を適用したマイナスイオン発生装置付きのユニットバスの縦断面図である。
【図２】同マイナスイオン発生装置付きのユニットバスの平面図である。
【符号の説明】
【００２７】
1. 湯壷
2. 身体支持用ベッド部材
3. ユニットバス外周
4. イオン発生装置
5. 温水送水ポンプ
6. イオン発生装置
7. 送水パイプ
8. トルマリン鉱石
9. イオン発生生成材(例・トルマリン鉱石・黒曜石・北投石・麦飯石・ラジウム鉱石)等
10.折りたたみ位置・又は取り外しができる位置
11. 床下からのイオン流通穴
12. ボイラーからの温熱パイプ配管
13. 排水溝
14. アミ板
15. 温水落下矢印
16. 換気扇
17. シャワー
18. スノコ板
19. 湯壷の縁(カマチ)
20. ベッドの縁枠
21. 出入り口ドアー
22. ボイラー
23. 室内ライト装置
24. 水道装置
25. 鏡
26. イオン生成材(鉱石収納箱)
27. 温水  噴出しパイプ
28. 温水出口